(57)【特許請求の範囲】
【請求項１】
バスト引き寄せ機能を備えたトップにおいて、人体胸囲骨格領域の全周を覆う身頃体を備え、前記人体胸囲骨格領域を左右の体側部領域を境界にしてフロント領域とバック領域とに区分し、前記人体胸囲骨格領域のフロント領域に位置する前記身頃体の伸縮性を有するフロント部に左右の体側部領域から人体の中央に向けた引き寄せ力を作用させる引き寄せ力作用部を設けるとともに、
前記引き寄せ力作用部は、伸縮性の素材によって、人体のフロント領域の中央が最も人体の身長方向に沿った幅が狭く、左右の体側部領域へ向けた幅のうち、バストの体側部側の側面までの幅が徐々に広がる形状に形成され、左右の体側部領域が左右のバストの体側部側の側面を覆う形状に形成されたフロントパネルからなり、
前記フロントパネルは、前記身頃体の左右の体側部領域に着脱自在に設けられていることを特徴とするバスト引き寄せ機能を備えたトップ。
【発明の詳細な説明】
【技術分野】
【０００１】
この発明は、ブラジャーやブラスリップ・ボディスーツ・ブラキャミなどのファンデーション等を広く含むバスト引き寄せ機能を備えたトップに関し、特に左右のバストを中央に引き寄せる機能を高めたバスト引き寄せ機能を備えたトップに関するものである。
【背景技術】
【０００２】
従来、この種のブラジャーやブラスリップ・ボディスーツ・ブラキャミなどのファンデーション等を広く含むトップとしては、例えば、左右のバストを覆うバストカップ部と、これら左右のバストカップ部を繋ぐセンターパネルと、これら左右のバストカップ部の両側に連設されたサイドパネルとから構成されている。上記サイドパネルは、伸縮性を有する素材から構成されており、当該左右のサイドパネルの先端に取り付けられたフックやアイ等の連結具によって互いに連結され、左右のバストカップ部とサイドパネルとによって、着用者の人体胸部骨格領域を引き締める力を作用させている。
【０００３】
そして、上記ブラジャーの場合には、着用者の左右のバストを、左右のバストカップ部で覆った状態で、左右のサイドパネルの先端を、フックやアイ等の連結具によって互いに連結することによって着用するものである。その結果、このブラジャーは、左右のサイドパネルが有する伸縮性によって、左右のバストカップ部を中央に引き寄せる力を発生させ、着用者の左右のバストを中央に引き寄せる機能を有するように構成されている。
【発明の開示】
【発明が解決しようとする課題】
【０００４】
しかしながら、上記従来技術の場合には、次のような問題点を有している。すなわち、上記従来のブラジャーの場合には、着用者の左右のバストを中央に引き寄せる機能を、左右のサイドパネルの伸縮力のみに依存しており、左右のバストカップ部を中央に引き寄せる力を直接作用させるように構成されていない。そのため、上記ブラジャーの場合には、図１５に示すように、左右のバストの体側部を中央部に寄せることができても、左右のバスト全体を引き寄せ、胸の谷間を強調するような効果を十分得られないばかりか、当該左右のバストの引き寄せ効果を高めようとすると、左右のサイドパネルの伸縮力を大きく設定せざるを得ず、着用者の胸部を締め付ける力が過大となり、着用感が低下するとともに、健康上好ましくないという問題点を有していた。
【０００５】
そこで、この発明は、上記従来技術の問題点を解決するためになされたものであり、その目的とするところは、左右のサイドパネルの伸縮力を大きく設定することなく、着用感を向上させつつ、左右のバスト全体を中央に引き寄せ、胸の谷間をくっきりと創出する効果を発揮することが可能なバスト引き寄せ機能を備えたトップを提供することにある。
【課題を解決するための手段】
【０００６】
上記の課題を解決するため、請求項１に記載された発明は、バスト引き寄せ機能を備えたトップにおいて、人体胸囲骨格領域の全周を覆う身頃体を備え、前記人体胸囲骨格領域を左右の体側部領域を境界にしてフロント領域とバック領域とに区分し、前記人体胸囲骨格領域のフロント領域に位置する前記身頃体の伸縮性を有するフロント部に左右の体側部領域から人体の中央に向けた引き寄せ力を作用させる引き寄せ力作用部を設けるとともに、
前記引き寄せ力作用部は、伸縮性の素材によって、人体のフロント領域の中央が最も人体の身長方向に沿った幅が狭く、左右の体側部領域へ向けた幅のうち、バストの体側部側の側面までの幅が徐々に広がる形状に形成され、左右の体側部領域が左右のバストの体側部側の側面を覆う形状に形成されたフロントパネルからなり、
前記フロントパネルは、前記身頃体の左右の体側部領域に着脱自在に設けられていることを特徴とするバスト引き寄せ機能を備えたトップである。
【発明の効果】
【００１３】
この発明によれば、左右のサイドパネルの伸縮力を大きく設定することなく、着用感を向上させつつ、左右のバスト全体を中央に引き寄せ、胸の谷間をくっきりと創出する効果を発揮することが可能なバスト引き寄せ機能を備えたトップを提供することができる。
【発明を実施するための最良の形態】
【００１４】
以下に、この発明の実施の形態について図面を参照して説明する。
【００１５】
実施の形態１
図１はこの発明の実施の形態１にバスト引き寄せ機能を備えたトップとしてのカップレスタイプのブラジャーを示す構成図である。
【００１６】
図１において、１はバスト引き寄せる機能を備えたトップとしてのブラジャーを示すものであり、このブラジャー１は、着用者のバストＢに相当する人体胸囲骨格領域に着用される。この人体胸囲骨格領域は、図２に示すように、左右の体側部領域としてのアームピット部領域２、３を境界にして、左右のフロント領域４、５と左右のバック領域６、７とに区分される。上記アームピット部領域２、３は、バストＢの側部を含む人体側部であり、前後のフロント領域４、５とバック領域６、７における引っ張り力Ｆが拮抗する固定部分であり、且つ補正部としての機能を有するものである。
【００１７】
上記ブラジャー１は、図１に示すように、カップレスタイプのブラジャーであり、このカップレスタイプのブラジャー１は、基本構成をなす身頃体８を備えている。この身頃体８は、図３に示すように、人体胸囲骨格領域のフロント領域４、５に位置し、伸縮性を有する引き寄せ力作用部としてのフロント部９と、人体骨格領域のアームピット部領域２、３に位置する伸縮性を有しない補正機能部としてのアームピット部１０と、人体骨格領域のバック領域６、７に位置し、伸縮性を有して人体にフィットさせるバック部１１とから構成されている。上記身頃体８のフロント部９は、その上端縁９ａが、着用者のバストＢの基底部に沿った曲線形状に形成されているとともに、その下端縁９ｂは、人体骨格領域のバストＢの下部を取り囲むように略直線状に形成されている。
【００１８】
また、上記身頃体８のアームピット部１０は、その上端縁１０ａが、フロント領域４、５からアームピット部領域２、３に向けて上向きに大きく湾曲した曲線１０ａ’をなしているととともに、当該アームピット部領域２、３の途中からバック領域６、７に向けて少し下向きに傾斜した曲線１０ａ”をなしている。また、上記アームピット部１０の下端縁１０ｂは、人体骨格領域のバストＢの下部を取り囲むように略直線状に形成されている。
【００１９】
さらに、上記身頃体８のバック部１１は、その上端縁１１ａが、アームピット部領域２、３に連続し、且つアームピット領域２、３からバック領域６、７に向けて上向きに湾曲した曲線１１ａ’をなしているととともに、当該バック領域６、７の途中から下方に向けて大きく湾曲した曲線１１ａ”をなしている。また、上記バック部１１の下端縁１１ｂは、人体骨格領域のバストＢの下部を取り囲むように略直線状に形成されている。
【００２０】
また、上記身頃体８のフロント領域には、当該フロント領域を覆うように、伸縮性を有する生地からなるフロントパネル１２が縫着されている。このフロントパネル１２は、その上端縁１２ａが、着用者のバストＢの中央部の下方から、バストＢの側面を覆うように、上向きに大きく湾曲した形状に形成されており、その先端部は、ショルダー部１２ｂに連設されている。また、上記ショルダー部１２ｂのアームピット領域側は、身頃体８のアームピット部１０ａ”に沿った形状に、当該アームピット部１０ａ”の途中からバック領域に向けて少し下向きに傾斜した曲線１２ｃをなしている。
【００２１】
さらに、上記フロントパネル１２は、その下端縁１２ｄが、身頃体８の下端縁よりも上方に位置するように略直線状に形成されている。
【００２２】
また、上記フロントパネル１２は、左右に分割されているとともに、当該左右に分割されたフロントパネル１２の中央側の端縁１２ｄは、身頃体８の中央よりも短く設定されている。そして、上記フロントパネル１２の中央側の端縁１２ｄは、伸張された状態で、他方のフロントパネル１２と縫着されており、当該フロントパネル１２に中央部に引き寄せる大きな力を発生させるように構成されている。
【００２３】
なお、上記実施の形態１に係るブラジャー１は、カップレスタイプとなっているが、カップ部を装着する場合には、身頃体８のフロント部９の伸張に対応するカップ体をデザインすれば良い。この実施の形態１では、ブラジャー１を意識させず、プランジングな装いに魅力的なバストを表現できるデザインとなっている。
【００２４】
以上の構成において、この実施の形態１に係るバスト引き寄せる機能を備えたトップとしてのブラジャーは、次のようにして、左右のサイドパネルの伸縮力を大きく設定することなく、着用感を向上させつつ、左右のバスト全体を中央に引き寄せ、胸の谷間をくっきりと創出する効果を発揮することが可能となっている。
【００２５】
すなわち、上記バスト引き寄せる機能を備えたトップとしてのブラジャー１は、図１に示すように、伸縮性を有する生地からなるフロントパネル１２を備えており、このフロントパネル１２は、左右のアームピット部領域２、３から人体の中央に向けて、バストを引き寄せる力Ｆ１を作用させる引き寄せ力作用部を構成している。また、上記フロントパネル１２が縫着された身頃体８のフロント部９も、バストＢの下方において、アームピット部からフロント部に引き寄せる力Ｆ２を作用させる引き寄せ力作用部を構成している。
【００２６】
その結果、上記ブラジャー１は、図４及び図５に示すように、身頃体８のフロント部９によって、人体胸囲骨格領域に対して、左右のバストＢを引き寄せる力Ｆ２を作用させることができるとともに、伸縮性を有する生地からなるフロントパネル１２によって、図６に示すように、左右のバストＢを中央に引き寄せる力Ｆ１を作用させることができ、胸の谷間をくっきりと創出する効果を発揮することができる。
【００２７】
また、上記ブラジャー１では、身頃体８のフロント部９の引き寄せ力Ｆ２と、当該身頃体８のバック部１１の引っ張り力Ｆ３とが、バック部１１の引っ張り力Ｆ３がフロント部９の引き寄せる力Ｆ２よりも大きくなるように設定することによって、人体胸囲骨格領域に対して、安定して優れた着用感を得ることができる。
【００２８】
なお、上記実施の形態では、バスト引き寄せ機能を備えたトップとして、ブラジャーに適用した場合について説明したが、これに限定されるものではなく、図７に示すように、アウターとしてのタンクトップ１５に適用しても良い。このタンクトップ１５には、その裏面側に、図１に示すブラジャー１と同様の構成が設けられている。
【００２９】
実施の形態２
図８はこの発明の実施の形態２を示すものであり、前記実施の形態１と同一の部分には同一の符号を付して説明すると、この実施の形態２では、バストカップ部を有するように構成されている。
【００３０】
すなわち、この実施の形態２に係るブラジャー１は、図８に示すように、左右のバストカップ部２１、２２を備えており、当該左右のバストカップ部２１、２２の下方からアームピット部にかけて機能パネル２３が設けられている。この機能パネル２３は、左右のバストカップ部２１、２２の下部に位置する引き寄せ力が大きく設定された引き寄せ力作用部としてのフロント部２４と、当該フロント部２４のバストサイド側に連設され、引き寄せ力が弱く設定されたサイド部２５と、当該サイド部２５のアームピット側に連設され、伸縮しない生地で形成されたアームピット部２６とから構成されている。
【００３１】
上記機能パネル２３のフロント部２４は、伸縮性の高い生地から構成されており、幅が狭い帯状に形成されている。また、上記機能パネル２３のサイド部２５は、フロント部２４から上方に向けて大きく湾曲する曲線をなすように構成されており、その上端部２５ａは、左右のバストカップ部２１、２２のサイド側の端縁に連設されている。さらに、上記機能パネル２３のアームピット部２６は、その上端縁２６ａが、サイド部２５の上端縁２５ａと略同様に上方に向けて大きく湾曲する曲線をなすように連設されている。
【００３２】
図９及び図１０はこの実施の形態２の変形例を示すものであり、機能パネル２３がブラジャー１の左右のバストカップ部２１、２２に対して着脱自在に構成されている。
【００３３】
上記機能パネル２３は、左右のバストカップ部２１、２２の中央から、左右のバストカップ部２１、２２のサイド部にかけて設けられており、伸縮性の大きい生地によって形成されている。また、上記機能パネル２３の周囲には、必要に応じて、図１１に示すように、パイピング３０が施されている。この機能パネル２３の両先端部の裏面には、図１１（ｃ）に示すように、マジックテープ（商品名）の鉤状部分３１が取り付けられているとともに、左右のバストカップ部２１、２２のサイド部３２には、マジックテープ（商品名）のループ状の柔らかい部分３３が取り付けられている。
【００３４】
そして、上記ブラジャー１の左右のバストカップ部２１、２２に、図９及び図１０に示すように、機能パネル２３を着用することによって、左右のバストＢを中央に引き寄せる力を発生させ、左右のバスト全体を中央に引き寄せ、胸の谷間をくっきりと創出する効果を発揮することができるようになっている。なお、上記機能パネル２３は、左右のバストカップ部に予め縫着しても勿論良い。
【００３５】
図１２はこの実施の形態２の更に他の変形例を示すものである。
【００３６】
この変形例に係るブラジャー１は、１／２のシームレスカップブラを構成しており、このブラジャー１は、左右のバストカップ部３１、３２の表面に装着され、引き寄せる力を作用させる引き寄せ力作用部としての機能パネル３３を備えている。上記ブラジャー１は、機能パネル３３の引き寄せ力によって、左右のバストを引き寄せて一つに見せることで、胸の谷間を強調させることが可能となる。なお、図１２中、３４は左右のバストカップ部を互いに連結するフロントホックを示している。
【００３７】
実施の形態３
図１３はこの発明の実施の形態３を示すものであり、前記実施の形態１と同一の部分には同一の符号を付して説明すると、この実施の形態３では、付加された機能パネルが調整可能に構成されている。
【００３８】
すなわち、この実施の形態３に係るブラジャー１は、図１３に示すように、左右のバストカップ部４１、４２を有するシースルーなブラジャー本体４３を備えており、当該ブラジャー本体４３の表面側には、左右の機能パネル４４、４５から構成される付加機能パネル４６が配設されている。これらの左右の機能パネル４４、４５は、伸縮性を有する生地から構成されており、左右のバストカップ部４１、４２を中央に引き寄せる引き寄せ力作用部として機能している。また、上記左右の機能パネル４４、４５は、中央に配置された連結部４７で互いに調整可能に連結されている。
【００３９】
上記左右の機能パネル４４、４５の連結部４７には、１つのリング４８が縫着されているとともに、当該リング４８の内側には、もう１つのリング４９が配設されている。そして、２つのリング４８、４９を図１４に示すように互いに離れた状態に組み合わせることによって、左右の機能パネル４４、４５を中央により大きく引き寄せることができ、胸の谷間をより一層くっきりと創出することができるようになっている。
【図面の簡単な説明】
【００４０】
【図１】図１はこの発明の実施の形態１に係るバスト引き寄せ機能を備えたトップとしてのブラジャーを示す構成図である。
【図２】図２は人体胸部骨格領域を示す説明図である。
【図３】図３は身頃体及びフロントパネルを示す構成図である。
【図４】図４はこの発明の作用を示す説明図である。
【図５】図５はこの発明の作用を示す説明図である。
【図６】図６はこの発明の作用を示す説明図である。
【図７】図７はこの発明の実施の形態１に係るバスト引き寄せ機能を備えたトップとしての変形例を示す構成図である。
【図８】図８はこの発明の実施の形態２に係るバスト引き寄せ機能を備えたトップとしてのブラジャーを示す構成図である。
【図９】図９はこの発明の実施の形態２に係るバスト引き寄せ機能を備えたトップとしてのブラジャーの変形例を示す構成図である。
【図１０】図１０はこの発明の実施の形態２に係るバスト引き寄せ機能を備えたトップとしてのブラジャーの着用状態を示す構成図である。
【図１１】図１１はこの発明の実施の形態２に係るバスト引き寄せ機能を備えたトップとしてのブラジャーの部材を示す構成図である。
【図１２】図１２はこの発明の実施の形態２に係るバスト引き寄せ機能を備えたトップとしてのブラジャーの変形例を示す構成図である。
【図１３】図１３はこの発明の実施の形態３に係るバスト引き寄せ機能を備えたトップとしてのブラジャーを示す構成図である。
【図１４】図１４はこの発明の実施の形態３に係るバスト引き寄せ機能を備えたトップとしてのブラジャーの要部を示す構成図である。
【図１５】図１５は従来のブラジャーの作用を示す説明図である。
【図１６】図１６はこの発明に係るバスト引き寄せ機能を備えたトップとしてのブラジャーを示す概念図である。
【符号の説明】
【００４１】
１：ブラジャー、８：身頃体、９：フロント部、１０：アームピット部、１１：バック部、１２：フロントパネル。
【図１】
0004679047.tif 000002
【図２】
0004679047.tif 000003
【図３】
0004679047.tif 000004
【図４】
0004679047.tif 000005
【図５】
0004679047.tif 000006
【図６】
0004679047.tif 000007
【図７】
0004679047.tif 000008
【図８】
0004679047.tif 000009
【図９】
0004679047.tif 000010
【図１０】
0004679047.tif 000011
【図１１】
0004679047.tif 000012
【図１２】
0004679047.tif 000013
【図１３】
0004679047.tif 000014
【図１４】
0004679047.tif 000015
【図１５】
0004679047.tif 000016
【図１６】
0004679047.tif 000017